(57)【要約】【課題】Ｍ２Ｍ通信を用いるシステムにおいてデータ生成時刻を適切に付与する。【解決手段】センサ１１は、複数のセンサ１１を有し、複数のセンサ１１のセンサ値を送信する送信装置１と、送信装置１に接続する中継装置２と、中継装置２に接続する蓄積装置３とを備える。送信装置１は、現時刻を取得して、現時刻に基づくデータ生成時刻と複数のセンサ１１のセンサ値を含むデータを、中継装置２に送信する送信部１２を備える。中継装置２は、データ生成時刻と複数のセンサ１１のセンサ値をそれぞれ含む複数のデータを生成し、生成した複数のデータを、それぞれ蓄積装置３に送信する。【選択図】図１
2017010350.tif 000002
【特許請求の範囲】
【請求項１】
複数のセンサを有し、前記複数のセンサのセンサ値を送信する送信装置と、前記送信装置に接続する中継装置と、前記中継装置に接続する蓄積装置とを備えるシステムにおいて用いられるデータ生成時刻付与方法であって、
前記送信装置が、現時刻を取得して、前記現時刻に基づくデータ生成時刻と前記複数のセンサのセンサ値を含むデータを、前記中継装置に送信するステップと、
前記中継装置が、前記データに含まれた前記データ生成時刻と前記複数のセンサのセンサ値をそれぞれ含む複数のデータを生成し、前記複数のデータを、それぞれ前記蓄積装置に送信するステップ
を備えることを特徴とするデータ生成時刻付与方法。
【請求項２】
複数のセンサを有し、前記複数のセンサのセンサ値を送信する送信装置と、前記送信装置に接続する中継装置と、前記中継装置に接続する蓄積装置とを備えるシステムにおいて用いられるデータ生成時刻付与方法であって、
前記送信装置が、前記複数のセンサのセンサ値を含むデータを、前記中継装置に送信するステップと、
前記中継装置が、現時刻を取得して、前記現時刻に基づくデータ生成時刻と前記複数のセンサのセンサ値をそれぞれ含む複数のデータを生成し、前記複数のデータを、それぞれ前記蓄積装置に送信するステップ
を備えることを特徴とするデータ生成時刻付与方法。
【請求項３】
複数のセンサを有し、前記複数のセンサのセンサ値を送信する送信装置と、前記送信装置に接続する中継装置と、前記中継装置に接続する蓄積装置とを備えるシステムにおいて用いられるデータ生成時刻付与方法であって、
前記送信装置が、前記複数のセンサのセンサ値を含む第１のデータを、前記中継装置に送信するステップと、
前記中継装置が、現時刻を取得して、前記現時刻に基づくデータ生成時刻と、前記第１のデータの前記複数のセンサのセンサ値をそれぞれ含む、第１の複数のデータを生成し、前記第１の複数のデータを、それぞれ前記蓄積装置に送信するステップと、
前記送信装置が、前記第１のデータを送信してから所定時間経過後に、前記複数のセンサの新たなセンサ値を含む第２のデータを、前記中継装置に送信するステップと、
前記中継装置が、前記現時刻に前記所定時間を加算して得られた時刻に基づくデータ生成時刻と、前記第２のデータの前記複数のセンサの新たなセンサ値をそれぞれ含む、第２の複数のデータを生成し、前記第２の複数のデータを、それぞれ前記蓄積装置に送信するステップ
を備えることを特徴とするデータ生成時刻付与方法。
【請求項４】
複数のセンサを有し、前記複数のセンサのセンサ値を送信する第１の送信装置および第２の送信装置と、前記第１の送信装置および前記第２の送信装置に接続する中継装置と、前記中継装置に接続する蓄積装置とを備えるシステムにおいて用いられるデータ生成時刻付与方法であって、
前記第１の送信装置が、前記複数のセンサのセンサ値を含む第１のデータを、前記中継装置に送信するステップと、
前記中継装置が、現時刻を取得して、前記現時刻に基づくデータ生成時刻と、前記第１のデータの前記複数のセンサのセンサ値をそれぞれ含む、第１の複数のデータを生成し、前記第１の複数のデータを、それぞれ前記蓄積装置に送信するステップと、
前記第２の送信装置が、前記複数のセンサのセンサ値を含む第２のデータを、前記中継装置に送信するステップと、
前記中継装置が、前記第１の送信装置と前記第２の送信装置の送信時間の相関関係と前記現時刻から得られた時刻に基づくデータ生成時刻と、前記第２のデータの前記複数のセンサのセンサ値をそれぞれ含む、第２の複数のデータを生成し、前記第２の複数のデータを、それぞれ前記蓄積装置に送信するステップ
を備えることを特徴とするデータ生成時刻付与方法。
【請求項５】
複数のセンサを有し、前記複数のセンサのセンサ値を送信する送信装置と、前記送信装置に接続する中継装置と、前記中継装置に接続する蓄積装置とを備えるシステムにおいて用いられる送信装置であって、
現時刻を取得して、前記現時刻に基づくデータ生成時刻と前記複数のセンサのセンサ値を含むデータを、前記中継装置に送信する送信部を備え、
前記中継装置は、前記データに含まれた前記データ生成時刻と前記複数のセンサのセンサ値をそれぞれ含む複数のデータを生成し、前記複数のデータを、それぞれ前記蓄積装置に送信する
ことを特徴とする送信装置。
【請求項６】
複数のセンサを有し、前記複数のセンサのセンサ値を送信する送信装置と、前記送信装置に接続する中継装置と、前記中継装置に接続する蓄積装置とを備えるシステムにおいて用いられる中継装置であって、
前記送信装置は、前記複数のセンサのセンサ値を含むデータを、前記中継装置に送信し、
前記中継装置は、
前記送信装置から、前記複数のセンサのセンサ値を含むデータを受信すると、現時刻を取得して、前記現時刻に基づくデータ生成時刻と前記複数のセンサのセンサ値をそれぞれ含む複数のデータを生成する分解部と、
前記分解部が生成した前記複数のデータを、それぞれ前記蓄積装置に送信する蓄積装置通信部
を備えることを特徴とする中継装置。
【請求項７】
複数のセンサを有し、前記複数のセンサのセンサ値を送信する送信装置と、前記送信装置に接続する中継装置と、前記中継装置に接続する蓄積装置とを備えるシステムにおいて用いられる中継装置であって、
前記送信装置は、前記複数のセンサのセンサ値を含む第１のデータを、前記中継装置に送信するとともに、前記第１のデータを送信してから所定時間経過後に、前記複数のセンサの新たなセンサ値を含む第２のデータを、前記中継装置に送信し、
前記中継装置は、
前記送信装置から前記第１のデータを受信すると、現時刻を取得して、前記現時刻に基づくデータ生成時刻と、前記第１のデータの前記複数のセンサのセンサ値をそれぞれ含む、第１の複数のデータを生成するとともに、
前記送信装置から前記第２のデータを受信すると、前記現時刻に前記所定時間を加算して得られた時刻に基づくデータ生成時刻と、前記第２のデータの前記複数のセンサの新たなセンサ値をそれぞれ含む、第２の複数のデータを生成する分解部と、
前記分解部が生成した前記第１の複数のデータと前記第２の複数のデータを、それぞれ前記蓄積装置に送信する蓄積装置通信部
を備えることを特徴とする中継装置。
【請求項８】
複数のセンサを有し、前記複数のセンサのセンサ値を送信する第１の送信装置および第２の送信装置と、前記第１の送信装置および前記第２の送信装置に接続する中継装置と、前記中継装置に接続する蓄積装置とを備えるシステムにおいて用いられる中継装置であって、
前記第１の送信装置は、前記複数のセンサのセンサ値を含む第１のデータを、前記中継装置に送信し、
前記第２の送信装置は、前記複数のセンサのセンサ値を含む第２のデータを、前記中継装置に送信し、
前記中継装置は、
現時刻を取得して、前記現時刻に基づくデータ生成時刻と、前記第１のデータの前記複数のセンサのセンサ値をそれぞれ含む、第１の複数のデータを生成するとともに、
前記第１の送信装置と前記第２の送信装置の送信時間の相関関係と前記現時刻から得られた時刻に基づくデータ生成時刻と、前記第２のデータの前記複数のセンサのセンサ値をそれぞれ含む、第２の複数のデータを生成する分解部と、
前記分解部が生成した前記第１の複数のデータと前記第２の複数のデータを、それぞれ前記蓄積装置に送信する蓄積装置通信部
を備えることを特徴とする中継装置。
【発明の詳細な説明】
【技術分野】
【０００１】
本発明は、複数のセンサを有し、複数のセンサのセンサ値を送信する送信装置と、送信装置に接続する中継装置と、中継装置に接続する蓄積装置とを備えるシステムにおいて用いられるデータ生成時刻付与方法、送信装置および中継装置に関する。
【背景技術】
【０００２】
昨今の情報機器の発達に伴い、Ｍ２Ｍ通信（Machine to Machine）が普及している。中継装置が、Ｍ２Ｍ通信を用いてセンサと接続し、一般的な通信を用いて、蓄積装置に接続するシステムが考えられる。
【０００３】
このようなシステムにおいて中継装置は、Ｍ２Ｍ通信を用いて、センサから、センサの測定値であるセンサ値を取得する。さらに、中継装置は、蓄積装置にセンサ値を送信し、蓄積装置がセンサ値を保持する。蓄積装置は、センサ値を取得した際に、データ生成時刻（タイムスタンプ）を付与し、各サービスにデータを提供する（非特許文献１参照、特に１０．１．１．１“Ｎｏｎ−ｒｅｇｉｓｔｒａｔｉｏｎ  ｒｅｌａｔｅｄ  ＣＲＥＡＴＥ  ｒｏｃｅｄｕｒｅ”の５）の処理、Ｔａｂｌｅ９．６．１．３．１−１の“ｃｒｅａｔｉｏｎＴｉｍｅ”、およびＴａｂｌｅ９．６．７−１参照）。
【先行技術文献】
【非特許文献】
【０００４】
【非特許文献１】OneM2MPartners、"ONE M2M TECHNICAL SPECIFICATION TS-0001-V1.6.1"、［online］、2014年8月1日、OneM2MPartners、［平成27年6月17日検索］、インターネット〈URL： http://www.onem2m.org/images/files/deliverables/TS-0001-Functional_Architecture-V1_6_1.pdf〉
【発明の概要】
【発明が解決しようとする課題】
【０００５】
しかしながら非特許文献１が開示するように、サーバがデータ生成時刻を付与する方法では、問題が生じる場合がある。
【０００６】
例えば、通信遅延や処理遅延が発生する場合、蓄積装置は、これらの通信遅延や処理遅延により遅延した時刻をセンサ値に対応づけることにより、不正確なデータ生成時刻が付与される問題がある。通信遅延として、センサから中継装置にデータを送信する経路や中継装置から蓄積装置にデータを送信する経路における通信遅延が考えられる。また処理遅延として、中継装置や経由するシステムにおける処理遅延が考えられる。
【０００７】
また一つのデバイスに複数のセンサが備えられ、複数のセンサが同時に取得したセンサ値であっても、遅延により、蓄積装置で異なるデータ生成時刻が付与される場合がある。この場合、蓄積装置で同時に取得されたセンサ値を突合しようとしても、容易に突合出来ない問題がある。
【０００８】
このように、Ｍ２Ｍ通信を用いる従来のシステムにおいてデータ生成時刻を適切に付与されていない問題があった。
【０００９】
従って本発明の目的は、Ｍ２Ｍ通信を用いるシステムにおいてデータ生成時刻を適切に付与するデータ生成時刻付与方法、送信装置および中継装置を提供することである。
【課題を解決するための手段】
【００１０】
上記課題を解決するために、本発明の第１の特徴は、複数のセンサを有し、複数のセンサのセンサ値を送信する送信装置と、送信装置に接続する中継装置と、中継装置に接続する蓄積装置とを備えるシステムにおいて用いられるデータ生成時刻付与方法に関する。第１の特徴に係るデータ生成時刻付与方法は、送信装置が、現時刻を取得して、現時刻に基づくデータ生成時刻と複数のセンサのセンサ値を含むデータを、中継装置に送信するステップと、中継装置が、データに含まれたデータ生成時刻と複数のセンサのセンサ値をそれぞれ含む複数のデータを生成し、複数のデータを、それぞれ蓄積装置に送信するステップを備える。
【００１１】
本発明の第２の特徴は、複数のセンサを有し、複数のセンサのセンサ値を送信する送信装置と、送信装置に接続する中継装置と、中継装置に接続する蓄積装置とを備えるシステムにおいて用いられるデータ生成時刻付与方法に関する。本発明の第２の特徴に係るデータ生成時刻付与方法は、送信装置が、複数のセンサのセンサ値を含むデータを、中継装置に送信するステップと、中継装置が、現時刻を取得して、現時刻に基づくデータ生成時刻と複数のセンサのセンサ値をそれぞれ含む複数のデータを生成し、複数のデータを、それぞれ蓄積装置に送信するステップを備える。
【００１２】
本発明の第３の特徴は、複数のセンサを有し、複数のセンサのセンサ値を送信する送信装置と、送信装置に接続する中継装置と、中継装置に接続する蓄積装置とを備えるシステムにおいて用いられるデータ生成時刻付与方法に関する。本発明の第３の特徴に係るデータ生成時刻付与方法は、送信装置が、複数のセンサのセンサ値を含む第１のデータを、中継装置に送信するステップと、中継装置が、現時刻を取得して、現時刻に基づくデータ生成時刻と、第１のデータの複数のセンサのセンサ値をそれぞれ含む、第１の複数のデータを生成し、第１の複数のデータを、それぞれ蓄積装置に送信するステップと、送信装置が、第１のデータを送信してから所定時間経過後に、複数のセンサの新たなセンサ値を含む第２のデータを、中継装置に送信するステップと、中継装置が、現時刻に所定時間を加算して得られた時刻に基づくデータ生成時刻と、第２のデータの複数のセンサの新たなセンサ値をそれぞれ含む、第２の複数のデータを生成し、第２の複数のデータを、それぞれ蓄積装置に送信するステップを備える。
【００１３】
本発明の第４の特徴は、複数のセンサを有し、複数のセンサのセンサ値を送信する第１の送信装置および第２の送信装置と、第１の送信装置および第２の送信装置に接続する中継装置と、中継装置に接続する蓄積装置とを備えるシステムにおいて用いられるデータ生成時刻付与方法に関する。本発明の第４の特徴に係るデータ生成時刻付与方法は、第１の送信装置が、複数のセンサのセンサ値を含む第１のデータを、中継装置に送信するステップと、中継装置が、現時刻を取得して、現時刻に基づくデータ生成時刻と、第１のデータの複数のセンサのセンサ値をそれぞれ含む、第１の複数のデータを生成し、第１の複数のデータを、それぞれ蓄積装置に送信するステップと、第２の送信装置が、複数のセンサのセンサ値を含む第２のデータを、中継装置に送信するステップと、中継装置が、第１の送信装置と第２の送信装置の送信時間の相関関係と現時刻から得られた時刻に基づくデータ生成時刻と、第２のデータの複数のセンサのセンサ値をそれぞれ含む、第２の複数のデータを生成し、第２の複数のデータを、それぞれ蓄積装置に送信するステップを備える。
【００１４】
本発明の第５の特徴は、複数のセンサを有し、複数のセンサのセンサ値を送信する送信装置と、送信装置に接続する中継装置と、中継装置に接続する蓄積装置とを備えるシステムにおいて用いられる送信装置に関する。本発明の第５の特徴に係る送信装置は、現時刻を取得して、現時刻に基づくデータ生成時刻と複数のセンサのセンサ値を含むデータを、中継装置に送信する送信部を備える。ここで中継装置は、データに含まれたデータ生成時刻と複数のセンサのセンサ値をそれぞれ含む複数のデータを生成し、複数のデータを、それぞれ蓄積装置に送信する。
【００１５】
本発明の第６の特徴は、複数のセンサを有し、複数のセンサのセンサ値を送信する送信装置と、送信装置に接続する中継装置と、中継装置に接続する蓄積装置とを備えるシステムにおいて用いられる中継装置に関する。本発明の第６の特徴において、送信装置は、複数のセンサのセンサ値を含むデータを、中継装置に送信する。第６の特徴に係る中継装置は、送信装置から、複数のセンサのセンサ値を含むデータを受信すると、現時刻を取得して、現時刻に基づくデータ生成時刻と複数のセンサのセンサ値をそれぞれ含む複数のデータを生成する分解部と、分解部が生成した複数のデータを、それぞれ蓄積装置に送信する蓄積装置通信部を備える。
【００１６】
本発明の第７の特徴は、複数のセンサを有し、複数のセンサのセンサ値を送信する送信装置と、送信装置に接続する中継装置と、中継装置に接続する蓄積装置とを備えるシステムにおいて用いられる中継装置に関する。本発明の第７の特徴において送信装置は、複数のセンサのセンサ値を含む第１のデータを、中継装置に送信するとともに、第１のデータを送信してから所定時間経過後に、複数のセンサの新たなセンサ値を含む第２のデータを、中継装置に送信する。本発明の第７の特徴に係る中継装置は、送信装置から第１のデータを受信すると、現時刻を取得して、現時刻に基づくデータ生成時刻と、第１のデータの複数のセンサのセンサ値をそれぞれ含む、第１の複数のデータを生成するとともに、送信装置から第２のデータを受信すると、現時刻に所定時間を加算して得られた時刻に基づくデータ生成時刻と、第２のデータの複数のセンサの新たなセンサ値をそれぞれ含む、第２の複数のデータを生成する分解部と、分解部が生成した第１の複数のデータと第２の複数のデータを、それぞれ蓄積装置に送信する蓄積装置通信部を備える。
【００１７】
本発明の第８の特徴は、複数のセンサを有し、複数のセンサのセンサ値を送信する第１の送信装置および第２の送信装置と、第１の送信装置および第２の送信装置に接続する中継装置と、中継装置に接続する蓄積装置とを備えるシステムにおいて用いられる中継装置に関する。本発明の第８の特徴において第１の送信装置は、複数のセンサのセンサ値を含む第１のデータを、中継装置に送信し、第２の送信装置は、複数のセンサのセンサ値を含む第２のデータを、中継装置に送信する。本発明の第８の特徴に係る中継装置は、刻を取得して、現時刻に基づくデータ生成時刻と、第１のデータの複数のセンサのセンサ値をそれぞれ含む、第１の複数のデータを生成するとともに、第１の送信装置と第２の送信装置の送信時間の相関関係と現時刻から得られた時刻に基づくデータ生成時刻と、第２のデータの複数のセンサのセンサ値をそれぞれ含む、第２の複数のデータを生成する分解部と、分解部が生成した第１の複数のデータと第２の複数のデータを、それぞれ蓄積装置に送信する蓄積装置通信部を備える。
【発明の効果】
【００１８】
本発明によれば、Ｍ２Ｍ通信を用いるシステムにおいてデータ生成時刻を適切に付与するデータ生成時刻付与方法、送信装置および中継装置を提供することができる。
【図面の簡単な説明】
【００１９】
【図１】図１は、本発明の実施の形態に係るデータ処理システムのシステム構成と、第１の実施の形態に係るフィールドシステムのシステム構成を説明する図である。
【図２】図２は、本発明の実施の形態に係るデータ処理方法を説明するシーケンス図である。
【図３】図３は、第１の実施の形態に係るデータ処理方法を説明するシーケンス図である。
【図４】図４は、第２の実施の形態に係るフィールドシステムのシステム構成を説明する図である。
【図５】図５は、第２の実施の形態に係るデータ処理方法を説明するシーケンス図である。
【図６】図６は、第３の実施の形態に係るフィールドシステムのシステム構成を説明する図である。
【図７】図７は、第３の実施の形態に係るデータ処理方法を説明するシーケンス図である。
【図８】図８は、第４の実施の形態に係るフィールドシステムのシステム構成を説明する図である。
【図９】図９は、第４の実施の形態に係るデータ処理方法を説明するシーケンス図である。
【発明を実施するための形態】
【００２０】
次に、図面を参照して、本発明の実施の形態を説明する。以下の図面の記載において、同一または類似の部分には同一または類似の符号を付している。
【００２１】
（データ処理システム）
図１ないし図３を参照して、本発明の実施の形態に係るデータ処理システム７を説明する。データ処理システム７は、フィールドシステム８、蓄積装置３およびデータ処理装置４を備える。フィールドシステム８は、広域ネットワークＮ２を介して蓄積装置３と接続し、蓄積装置３は、広域ネットワークＮ２等のネットワークを介してデータ処理装置４と接続する。広域ネットワークＮ２は、インターネット網やモバイルネットワーク網などの相互に通信可能な通信ネットワークであって、有線ネットワークでも良いし無線ネットワークでも良い。
【００２２】
フィールドシステム８は、送信装置１および中継装置２を備える。送信装置１および中継装置２は、ローカルネットワークＮ１を介して接続される。ローカルネットワークＮ１は、Ｍ２Ｍ通信により接続されるネットワークであって、広域ネットワークＮ２と比べて狭い特定エリアの機器を接続するネットワークである。ローカルネットワークＮ１は、有線ネットワークでも良いし無線ネットワークでも良い。
【００２３】
送信装置１、中継装置２、蓄積装置３およびデータ処理装置４は、記憶装置、処理装置および通信制御装置などを備える一般的なコンピュータである。蓄積装置３およびデータ処理装置４は、広域ネットワークＮ２を介して接続されるクラウドコンピューティングによって実装されても良い。
【００２４】
送信装置１は、複数のセンサ１１ａ、１１ｂ、および１１ｃを有し、複数のセンサ１１ａ、１１ｂ、および１１ｃのセンサ値を、中継装置２に送信する。送信装置１は、複数のセンサ１１ａ、１１ｂ、および１１ｃのセンサ値を含む一つのデータを生成して、中継装置２に送信する。本発明の実施の形態において、センサ１１ａ、１１ｂおよび１１ｃを特に区別しない場合、単にセンサ１１と記載する場合がある。また、本発明の実施の形態において送信装置１が３つのセンサ１１を備える場合を説明するが、センサ１１の数は問わない。送信装置１は、センサ１１ａ、１１ｂおよび１１ｃから取得した各センサ値を、一つのデータにまとめて、中継装置２に送信する。
【００２５】
中継装置２は、送信装置１から受信した一つのデータから、各センサ値を含む複数のデータを生成して、蓄積装置３に送信する。図１に示す例の場合、中継装置２は、複数のセンサ１１ａ、１１ｂおよび１１ｃの各センサ値を含むデータを送信装置１から受信すると、センサ１１ａのセンサ値を含むＡデータ、センサ１１ｂのセンサ値を含むＢデータおよびセンサ１１ｃのセンサ値を含むＣデータを生成する。送信装置１はさらに、Ａデータ、ＢデータおよびＣデータを蓄積装置３に送信する。
【００２６】
蓄積装置３は、中継装置２に接続し、中継装置２から受信したデータを蓄積する。蓄積装置３は、フィールドシステム８から取得したセンサ値を蓄積し、データ処理装置４に提供する。蓄積装置３は、中継装置通信部３１、管理部３２、蓄積部３３および処理装置通信部３４を備える。中継装置通信部３１は、フィールドシステム８の中継装置２と通信するインタフェースである。中継装置通信部３１は、中継装置２から受信したデータを管理部３２に入力する。処理装置通信部３４は、データ処理装置４と通信するインタフェースである。管理部３２は、中継装置通信部３１が入力したデータを蓄積部３３に蓄積するとともに、処理装置通信部３４を介して、蓄積部３３に蓄積されたデータをデータ処理装置４に提供する。蓄積部３３は、中継装置２から取得したデータを蓄積する記憶媒体である。
【００２７】
データ処理装置４は、蓄積装置３に接続し、蓄積装置３から受信したデータを処理する。データ処理装置４は、蓄積装置通信部４１および処理部４２を備える。蓄積装置通信部４１は、蓄積装置３から受信したデータを処理部４２に入力し、処理部４２は、入力されたデータを処理する。
【００２８】
（データ処理方法）
図２を参照して、本発明の実施の形態に係るデータ処理方法を説明する。
【００２９】
ステップＳ１において送信装置１は、複数のセンサ１１ａ、１１ｂおよび１１ｃの各センサ値を結合して、中継装置２に送信するためのデータを生成する。ステップＳ２において送信装置１は、中継装置２に、ステップＳ１で生成したデータを、一つのメッセージに乗せて送信する。
【００３０】
ステップＳ３において中継装置２は、送信装置１からデータを受信すると、受信したデータを、一つのデータに一つのセンサのセンサ値が含まれるように、複数のデータ、具体的には、センサ１１ａのセンサ値を含むＡデータ、センサ１１ｂのセンサ値を含むＢデータおよびセンサ１１ｃのセンサ値を含むＣデータを生成する。ステップＳ４ａ、Ｓ４ｂおよびＳ４ｃにおいて中継装置２は、ステップＳ３で生成したＡデータ、ＢデータおよびＣデータをそれぞれ別のメッセージに乗せて送信する。
【００３１】
ステップＳ５において蓄積装置３は、中継装置２から、一つのセンサのセンサ値を含む複数のメッセージ（Ａデータ、ＢデータおよびＣデータ）を受信すると、受信した各センサ値を、蓄積部３３にそれぞれ蓄積する。また蓄積装置３は、ステップＳ６において、データ処理装置４からデータ要求を受信すると、ステップＳ７において蓄積部３３から要求されたセンサ値を抽出し、ステップＳ８で抽出したセンサ値をデータ処理装置４に送信する。
【００３２】
ここで、上述するデータ処理方法において、従来、蓄積装置３が、センサ値を受信した際、ステップＳ５において、データ生成時刻（タイムスタンプ）を付与して蓄積部３３に蓄積していた。従って、ここで付与されるデータ生成時刻は、送信装置１、ローカルネットワークＮ１、中継装置２および広域ネットワークＮ２を経由した時間であり、通信遅延および処理遅延を内在していた。また、中継装置２および蓄積装置３間は、各センサ値が、異なるメッセージに乗って送信されていた。従って蓄積装置３は、同時に取得され、送信装置１から中継装置まで一つのメッセージで送信された複数のセンサ値に、異なるデータ生成時刻を付与する場合がある。従ってデータ処理装置４において、送信装置１において同時に取得されたセンサ値を、同時に取得されたものとして把握することができない場合があった。
【００３３】
そこで下記に記載する第１ないし第４の実施の形態において、本発明の実施の形態に係るセンサ１１において、データ生成時刻を適切に付与する方法を説明する。
【００３４】
（第１の実施の形態）
第１の実施の形態において、送信装置１がデータ生成時刻を付与するデータ生成時刻付与方法を説明する。
【００３５】
送信装置１は、一般的なコンピュータで実装され、図１に示すように、複数のセンサ１１、送信部１２、時計１３、処理装置（図示せず）および記憶装置（図示せず）を備える。
【００３６】
センサ１１は、所定のルールに従って、センサ値を取得し、送信部１２に入力する。所定のルールは、センサ値を取得したり送信したりする時刻や時間間隔などの時間的条件を含む。
【００３７】
時計１３は、蓄積装置３やデータ処理装置４などと共通する時刻を提供するシステム時計である。時計１３は、例えば電波時計であって、標準時刻を取得しても良い。
【００３８】
送信部１２は、蓄積装置３とＭ２Ｍ通信を行うインタフェースである。送信部１２は、時計１３から現時刻を取得して、現時刻に基づくデータ生成時刻と複数のセンサ１１のセンサ値を含むデータを、中継装置２に送信する。送信部１２は、複数のセンサ１１から、同時に取得されたセンサ値を取得すると、時計１３を参酌してデータ生成時刻（タイムスタンプ）を生成する。送信部１２は、複数のセンサのセンサ値と、生成したデータ生成時刻を含むデータを、一つのメッセージに乗せて、ローカルネットワークＮ１を介するＭ２Ｍ通信で、中継装置２に送信する。
【００３９】
中継装置２は、送信装置１から受信したデータに含まれたデータ生成時刻と複数のセンサ１１のセンサ値をそれぞれ含む複数のデータを生成し、複数のデータを、それぞれ蓄積装置３に送信する。中継装置２は、一般的なコンピュータで実装され、送信装置通信部２１、分解部２２、蓄積装置通信部２３、処理装置（図示せず）および記憶装置（図示せず）を備える。送信装置通信部２１は、送信装置１とＭ２Ｍ通信を行うインタフェースである。蓄積装置通信部２３は、蓄積装置３と通信するインタフェースである。
【００４０】
分解部２２は、複数のセンサ１１ａ、１１ｂおよび１１ｃの各センサ値を含むデータを送信装置１から受信すると、センサ１１ａのセンサ値を含むＡデータ、センサ１１ｂのセンサ値を含むＢデータおよびセンサ１１ｃのセンサ値を含むＣデータを生成する。分解部２２はさらに、Ａデータ、ＢデータおよびＣデータを蓄積装置３に送信する。このとき分解部２２は、送信装置１から受信したデータに含まれたデータ生成時刻を、Ａデータ、ＢデータおよびＣデータにそれぞれ含ませて、蓄積装置３に送信する。
【００４１】
図３を参照して、第１の実施の形態に係るデータ処理方法を説明する。
【００４２】
まず、送信装置１の複数のセンサ１１ａ、１１ｂおよび１１ｃは、同時にセンサ値を取得すると、ステップＳ１０１ａ、Ｓ１０１ｂ、およびＳ１０１ｃにおいて、取得した各センサ値を、送信部１２に入力する。各センサ値が各センサ１１から入力されると、送信部１２は、時計１３から時刻を取得し、データ生成時刻を生成する。
【００４３】
ステップＳ１０３において送信部１２は、各センサ１１から取得したセンサ値と、データ生成時刻とを含むデータを生成し、ステップＳ１０４において、中継装置２に送信する。
【００４４】
ステップＳ１０５において中継装置２の分解部２２は、送信装置１が送信したデータを受信すると、センサ１１ａのセンサ値およびデータ生成時刻を含むＡデータ、センサ１１ｂのセンサ値およびデータ生成時刻を含むＢデータ、およびセンサ１１ｃのセンサ値およびデータ生成時刻を含むＣデータを生成する。分解部２２は、蓄積装置通信部２３を介して、ステップＳ１０６ａ、Ｓ１０６ｂおよびＳ１０６ｃにおいて、生成した各データを、蓄積装置３に送信する。
【００４５】
蓄積装置３は、中継装置２からデータを受信すると、ステップＳ１０７ａ、Ｓ１０７ｂおよびＳ１０７ｃにおいて、受信したデータを蓄積部３３に記憶する。ここで、蓄積装置３は、各センサ１１のセンサ値と、送信装置１で付与されたデータ生成時刻とを対応づけて蓄積部３３に記憶する。
【００４６】
このように、第１の実施の形態によれば、送信装置１がセンサ値を送信する際に、蓄積装置３やデータ処理装置４などと共有可能な時刻に基づいてデータ生成時刻を付与する。従って、通信遅延や処理遅延を抑制したデータ生成時刻を、センサ値に付与することができる。さらに、送信装置１で同時に取得されたセンサ値に、同じ時刻に基づいたデータ生成時刻が付与されるので、データ処理装置４等において、送信装置１において同時に取得されたセンサ値を、正しく認識して処理することができる。
【００４７】
（第２の実施の形態）
第２の実施の形態において、中継装置２ａがデータ生成時刻を付与するデータ生成時刻付与方法を説明する。
【００４８】
図４に示す第２の実施の形態のフィールドシステム８ａは、図１に示す第１の実施の形態のフィールドシステム８と比べて、送信装置１ａが時計を備えておらず、蓄積装置３ａが時計２４を備える点が異なる。
【００４９】
送信装置１ａの送信部１２ａは、複数のセンサ１１のセンサ値を含むデータを、一つのメッセージに載せて、中継装置２ａに送信する。
【００５０】
中継装置２ａの分解部２２ａは、送信装置１ａから、複数のセンサ１１のセンサ値を含むデータを受信すると、現時刻を取得して、現時刻に基づくデータ生成時刻と複数のセンサ１１のセンサ値をそれぞれ含む複数のデータを生成する。
【００５１】
分解部２２ａは、複数のセンサ１１ａ、１１ｂおよび１１ｃの各センサ値を含むデータを送信装置１ａから受信すると、センサ１１ａのセンサ値を含むＡデータ、センサ１１ｂのセンサ値を含むＢデータおよびセンサ１１ｃのセンサ値を含むＣデータを生成する。分解部２２ａは、時計２４から現時刻を取得して、現時刻に基づくデータ生成時刻を生成し、生成したデータ生成時刻を、Ａデータ、ＢデータおよびＣデータに含ませる。
【００５２】
中継装置２ａの時計２４は、蓄積装置３やデータ処理装置４などと共通する時刻を提供するシステム時計である。時計２４は、例えば電波時計であって、標準時刻を取得しても良い。
【００５３】
中継装置２ａの蓄積装置通信部２３は、分解部２２ａが生成した複数のデータを、それぞれ蓄積装置３に送信する。蓄積装置通信部２３は、Ａデータ、ＢデータおよびＣデータを蓄積装置３に送信する。このとき蓄積装置通信部２３が送信する各データは、分解部２２ａが時計２４を参照して生成したデータ生成時刻を含む。
【００５４】
図５を参照して、第２の実施の形態に係るデータ処理方法を説明する。
【００５５】
まず、送信装置１ａの複数のセンサ１１ａ、１１ｂおよび１１ｃは、同時にセンサ値を取得すると、ステップＳ２０１ａ、Ｓ２０１ｂ、およびＳ２０１ｃにおいて、取得した各センサ値を、送信部１２ａに入力する。
【００５６】
ステップＳ２０２において送信部１２ａは、各センサ１１から取得したセンサ値を含むデータを生成し、ステップＳ２０３において、中継装置２ａに送信する。
【００５７】
ステップＳ２０３において中継装置２ａの分解部２２ａは、送信装置１ａが送信したデータを受信すると、時計２４から時刻を取得し、データ生成時刻を生成する。さらにステップＳ２０５において分解部２２ａは、センサ１１ａのセンサ値およびデータ生成時刻を含むＡデータ、センサ１１ｂのセンサ値およびデータ生成時刻を含むＢデータ、およびセンサ１１ｃのセンサ値およびデータ生成時刻を含むＣデータを生成する。分解部２２ａは、蓄積装置通信部２３を介して、ステップＳ２０６ａ、Ｓ２０６ｂおよびＳ２０６ｃにおいて、生成した各データを、蓄積装置３に送信する。
【００５８】
蓄積装置３は、中継装置２ａからデータを受信すると、ステップＳ２０７ａ、Ｓ２０７ｂおよびＳ２０７ｃにおいて、受信したデータを蓄積部３３に記憶する。ここで、蓄積装置３は、各センサ１１のセンサ値と、中継装置２ａで付与されたデータ生成時刻とを対応づけて蓄積部３３に記憶する。
【００５９】
このように、第２の実施の形態によれば、送信装置１ａが時計を有しない場合でも、中継装置２ａが蓄積装置３やデータ処理装置４などと共有可能な時刻に基づいてデータ生成時刻を付与する。従って、第１の実施の形態と比べて、送信装置１ａおよび中継装置２ａ間の通信遅延を内包するものの、通信遅延や処理遅延を抑制したデータ生成時刻を、センサ値に付与することができる。さらに、送信装置１ａで同時に取得されたセンサ値に、同じ時刻に基づいたデータ生成時刻が付与されるので、データ処理装置４等において、送信装置１ａにおいて同時に取得されたセンサ値を、正しく認識して処理することができる。
【００６０】
（第３の実施の形態）
第３の実施の形態において、中継装置２ｂが、送信装置１ｂの送信間隔に基づいて、データ生成時刻を付与するデータ生成時刻付与方法を説明する。
【００６１】
図６に示す第３の実施の形態のフィールドシステム８ｂは、図４に示す第２の実施の形態のフィールドシステム８ａと比べて、送信装置１ｂが時計１３ｂを備えている点が異なる。
【００６２】
送信装置１ｂの時計１３ｂは、蓄積装置３やデータ処理装置４などと共通する時間間隔を提供するシステム時計である。時計１３ｂは、時間間隔のみならず、蓄積装置３やデータ処理装置４などと共通する時刻を提供しても良い。時計１３ｂは、例えば、タイマーであっても良いし、電波時計であって、標準時刻を取得しても良い。
【００６３】
送信装置１ｂの送信部１２ｂは、所定の時間間隔で、センサ１１のセンサ値を取得して、中継装置２ｂに送信する。具体的には送信部１２ｂは、所定のタイミングで測定された複数のセンサ１１のセンサ値を含む第１のデータを、中継装置２ｂに送信する。さらに送信部１２ｂは、第１のデータを送信してから所定時間経過後に、複数のセンサ１１の新たなセンサ値を含む第２のデータを、中継装置２ｂに送信する。
【００６４】
中継装置２ｂの分解部２２ｂは、送信装置１ｂから第１のデータを受信すると、現時刻を取得して、現時刻に基づくデータ生成時刻と、第１のデータの複数のセンサのセンサ値をそれぞれ含む、第１の複数のデータを生成する。さらに分解部２２ｂは、送信装置１ｂから第２のデータを受信すると、第１の複数のデータのデータ生成時刻を生成するときに参照した現時刻に所定時間を加算して得られた時刻に基づくデータ生成時刻と、第２のデータの複数のセンサの新たなセンサ値をそれぞれ含む、第２の複数のデータを生成する。ここで、分解部２２ｂは、送信装置１ｂがデータを送信する時間間隔を、予め把握している。
【００６５】
分解部２２ｂは、複数のセンサ１１ａ、１１ｂおよび１１ｃの各センサ値を含む第１のデータを送信装置１ｂから受信すると、第１の複数のデータを生成する。第１の複数のデータは、センサ１１ａのセンサ値を含むＡ１データ、センサ１１ｂのセンサ値を含むＢ１データおよびセンサ１１ｃのセンサ値を含むＣ１データを含む。分解部２２ｂは、時計２４から現時刻を取得して、現時刻に基づいてデータ生成時刻を生成し、生成したデータ生成時刻を、Ａ１データ、Ｂ１データおよびＣ１データに含ませる。
【００６６】
その後分解部２２ｂは、複数のセンサ１１ａ、１１ｂおよび１１ｃの各センサ値を含む第２のデータを送信装置１ｂから受信すると、第２の複数のデータを生成する。第２の複数のデータは、センサ１１ａのセンサ値を含むＡ２データ、センサ１１ｂのセンサ値を含むＢ２データおよびセンサ１１ｃのセンサ値を含むＣ２データを含む。分解部２２ｂは、第１の複数のデータのデータ生成時刻を生成するときに参照した時刻に送信装置１ｂにおける送信時間間隔を加算して得られた時刻に基づいて、データ生成時刻を生成し、生成したデータ生成時刻を、Ａ２データ、Ｂ２データおよびＣ２データに含ませる。
【００６７】
例えば、送信装置１ｂが、１分間隔でセンサ値を中継装置２ｂに送信する場合、Ａ２データ、Ｂ２データおよびＣ２データに含まれるデータ生成時刻は、Ａ１データ、Ｂ１データおよびＣ１データに含まれるデータ生成時刻の１分後の値が設定される。
【００６８】
中継装置２ｂの蓄積装置通信部２３は、分解部２２ｂが生成した第１の複数のデータおよび第２の複数のデータを、それぞれ蓄積装置３に送信する。
【００６９】
蓄積装置通信部２３は、第１の複数のデータに関するＡ１データ、Ｂ１データおよびＣ１データを、蓄積装置３にそれぞれ送信する。このとき蓄積装置通信部２３が送信する各データは、分解部２２ｂが時計２４を参照して生成したデータ生成時刻を、含む。さらに蓄積装置通信部２３は、第２の複数のデータに関するＡ２データ、Ｂ２データおよびＣ２データを、蓄積装置３にそれぞれ送信する。このとき蓄積装置通信部２３が送信する各データは、第１の複数のデータが含むデータ生成時刻に、送信装置１ｂの所定の送信時間間隔が加算された時刻に基づいて生成したデータ生成時刻を、含む。
【００７０】
なお、ここでは、第１の複数のデータから第２の複数のデータのデータ生成時刻を特定する方法を説明したが、第２の複数のデータ以降に生成される第３の複数のデータ、第４の複数のデータ等についても、同様に特定される。具体的には、第３の複数のデータのデータ生成時刻は、第２の複数のデータが含むデータ生成時刻に、送信装置１ｂの所定の送信時間間隔が加算された時刻に基づいて特定される。
【００７１】
図７を参照して、第２の実施の形態に係るデータ処理方法を説明する。
【００７２】
ステップＳ３０１ないしステップＳ３０７の処理は、図５のステップＳ２０１ないしステップＳ２０７の処理と同様である。
【００７３】
ステップＳ３１１において時計１３ｂが、前回センサ値を測定してから所定の送信時間が経過したことを検知すると、ステップＳ３１２において時計１３ｂは、その旨をセンサ１１に通知する。その後センサ１１は、センサ値を測定して送信部１２ｂに入力する。
【００７４】
ステップＳ３１４およびステップＳ３１５においてセンサ値は、ステップＳ３０２およびＳ３０３と同様に、中継装置２ｂに送信される。
【００７５】
ステップＳ３１６において分解部２２ｂは、ステップＳ３０４において取得した時刻に、所定の送信時間、すなわち、ステップＳ３１１において時計１３ｂが待機した時間を加算して、データ生成時刻を決定する。ステップＳ３１７において分解部２２ｂは、ステップＳ３１６で決定した時刻に基づいてデータ生成時刻を生成し、生成したデータ生成時刻を含むデータを蓄積装置３に送信する。ステップＳ３１８ないしステップＳ３１９の処理は、ステップＳ３０６ないしステップＳ３０７の処理と同様である。
【００７６】
このように、第３の実施の形態によれば、中継装置２ｂは蓄積装置３やデータ処理装置４などと共有可能な時刻に基づいてデータ生成時刻を付与する。
【００７７】
また、第２の実施の形態においては、中継装置２ａは、送信装置１ａおよび中継装置２ａ間の通信遅延を内包するデータ生成時刻を付与するため、送信装置１ａが均一な時間間隔で測定したとしても、中継装置２ａが付与するデータ生成時刻が、不均一な時間間隔を有する場合があった。これに対し第３の実施の形態においては、送信装置１ｂが、送信時間間隔を測定するタイマーを有して、均一な時間間隔で測定し、さらに中継装置２ｂが、均一な時間間隔を加算してデータ生成時刻を付与することにより、中継装置２ｂが、均一な時間間隔を有するデータ生成時刻を付与することができる。
【００７８】
さらに、送信装置１ｂにおいて一定時間間隔で取得されたセンサ値に、中継装置２ｂが同じ時間間隔に基づいて生成されたデータ生成時刻を付与するので、データ処理装置４等において、送信装置１ｂにおいて一定時間間隔で取得されたセンサ値を、正しく認識して処理することができる。
【００７９】
（第４の実施の形態）
第４の実施の形態において、第１の送信装置１ｃおよび第２の送信装置５を備えるフィールドシステム８ｃのデータ生成時刻付与方法を説明する。
【００８０】
図８に示す第４の実施の形態に係る第１の送信装置１ｃは、図６に示す第３の実施の形態に係る送信装置１ｂと同様の構成を備える。また第２の送信装置５は、第１の送信装置１ｃと同様の構成を備える。
【００８１】
なお、第１の送信装置１ｃの時計１３ｃおよび第２の送信装置５の時計５３は、タイマーであっても良いし、蓄積装置３およびデータ処理装置と共通する時刻を提供可能なシステム時計であっても良い。
【００８２】
第１の送信装置１ｃは、所定の第１のルールに従って、センサ値を取得し、複数のセンサ１１のセンサ値を含む第１のデータを、中継装置２ｃに送信する。第２の送信装置５は、所定の第２のルールに従って、センサ値を取得し、複数のセンサ５１のセンサ値を含む第２のデータを、中継装置２ｃに送信する。
【００８３】
ここで、第１の送信装置１ｃが用いる第１のルールと、第２の送信装置５が用いる第２のルールは、センサ値を取得したり送信したりする時刻や時間間隔などの時間的条件を含む。第１のルールと第２のルールは、同じ時間的条件を有していても良いし、異なる時間的条件を有していても良い。なお、中継装置２ｃは、第１のルールおよび第２のルールを予め把握している。
【００８４】
中継装置２ｃの分解部２２ｃは、第１の送信装置１ｃから第１のデータを受信すると、現時刻を取得して、現時刻に基づくデータ生成時刻と、第１のデータの複数のセンサ１１のセンサ値をそれぞれ含む、第１の複数のデータを生成する。さらに分解部２２ｃは、第２の送信装置５から第２のデータを受信すると、第１の送信装置１ｃと第２の送信装置５の送信時間の相関関係と、第１の複数のデータのデータ生成時刻を生成するときに参照した現時刻から得られた時刻とに基づくデータ生成時刻と、第２のデータの複数のセンサ５１のセンサ値をそれぞれ含む、第２の複数のデータを生成する。
【００８５】
分解部２２ｃは、第１の送信装置１ｃが参照する第１のルールと、第２の送信装置５が参照する第２のルールとの相関関係を参酌して、第２の送信装置５から受信した第２のデータについてデータ生成時刻を付与する。
【００８６】
具体的には、第１のルールが、毎偶数分にセンサ値を送信することを示し、第２のルールが、毎奇数分にセンサ値を送信することを示す場合、分解部２２ｃは、第１の複数のデータのデータ生成時刻に、１分加算して第２の複数データのデータ生成時刻を特定する。他の例としては、第１のルールが、所定時にセンサ値を送信することを示し、第２のルールが、第１の送信装置１ｃがセンサ値を送信してから所定時間後にセンサ値を送信することを示す場合、分解部２２ｃは、第１の複数のデータのデータ生成時刻に、所定時間分加算して第２の複数データのデータ生成時刻を特定する。
【００８７】
中継装置２ｃの蓄積装置通信部２３は、分解部２２ｃが生成した第１の複数のデータおよび第２の複数のデータを、それぞれ蓄積装置３に送信する。
【００８８】
図９を参照して、第２の実施の形態に係るデータ処理方法を説明する。
【００８９】
ステップＳ４０１において第１の送信装置１ｃから第１のデータが送信されると、中継装置２ｃの分解部２２ｃは、ステップＳ４０２において時計２４から時刻を取得する。分解部２２ｃは、ステップＳ４０３において、ステップＳ４０１で受信した第１のデータを分解して、ステップＳ４０２で取得した時刻に基づいてデータ生成時刻を付与し、第１の複数のデータを生成する。その後、ステップＳ４０４において分解部２２ｃは、蓄積装置通信部２３を介して、第１の複数のデータを蓄積装置３に送信する。
【００９０】
ステップＳ４０５において第２の送信装置５から第２のデータが送信されると、中継装置２ｃの分解部２２ｃはステップＳ４０５において、第１の送信装置１ｃで用いる送信ルールと、第２の送信装置５で用いる送信ルールとの相関関係と、ステップＳ４０２で取得した時刻とに基づいて、第２のデータに付与するべきデータ生成時刻を特定する。分解部２２ｃは、ステップＳ４０７において、ステップＳ４０５で受信した第２のデータを分解して、ステップＳ４０６で特定したデータ生成時刻を付与し、第２の複数のデータを生成する。その後、ステップＳ４０８において分解部２２ｃは、蓄積装置通信部２３を介して、第２の複数のデータを蓄積装置３に送信する。
【００９１】
この後分解部２２ｃは、第１の送信装置１ｃおよび第２の送信装置５から送信される各データに、各送信装置がセンサ値を送信する時間的条件の相関関係に基づいてデータ生成時刻を付与する。
【００９２】
なお、図９に示すデータ処理方法において、第１の送信装置１ｃのセンサ値に付したデータ生成時刻と、第１の送信装置１ｃで用いる送信ルールと第２の送信装置５で用いる送信ルールとの相関関係に基づいて、第２の送信装置５のセンサ値に付すデータ生成時刻を特定する場合を説明したが、これに限られない。第２の送信装置５のセンサ値に付したデータ生成時刻と、第１の送信装置１ｃで用いる送信ルールと第２の送信装置５で用いる送信ルールとの相関関係に基づいて、第１の送信装置１ｃのセンサ値に付すデータ生成時刻を特定しても良い。
【００９３】
このように、第４の実施の形態によれば、中継装置２ｃは、蓄積装置３やデータ処理装置４などと共有可能な時刻に基づいてデータ生成時刻を付与することができる。さらに、送信装置が複数ある場合でも、各装置がセンサ値を送信する時間的条件の相関関係に基づいてデータ生成時刻を付与するので、データ処理装置４等において、第１の送信装置１ｃおよび第２の送信装置５において所定ルールで取得されたセンサ値を、正しく認識して処理することができる。
【００９４】
なお、第４の実施の形態において、第１の送信装置１ｃおよび第２の送信装置５が、それぞれ、時計１３ｃおよび時計５３を備える場合を説明したが、これに限られない。
【００９５】
例えば、第１の送信装置１ｃのセンサ１１と、第２の送信装置５のセンサ５１とが、同じタイミングでセンサ値を送信することが既知の場合、第１の送信装置１ｃと第２の送信装置５の送信時間は同じになるという相関関係があることになる。また、第１の送信装置１ｃのセンサ１１と、第２の送信装置５のセンサ５１とが、所定の時間差でセンサ値を送信することが既知の場合、第１の送信装置１ｃと第２の送信装置５の送信時間に相関関係があることになる。
【００９６】
従って、複数の送信装置を備え、一部の送信装置が時計を備えないシステムにおいても、各送信装置がセンサ値を送信するタイミングが既知である場合、中継装置２ｃは、複数の送信装置から送信されたセンサ値に、適切なデータ生成時刻を付与することができる。
【００９７】
（その他の実施の形態）
上記のように、本発明の第１の実施の形態ないし第４の実施の形態によって記載したが、この開示の一部をなす論述および図面はこの発明を限定するものであると理解すべきではない。この開示から当業者には様々な代替実施の形態、実施例および運用技術が明らかとなる。
【００９８】
例えば、本発明の実施の形態に記載した中継装置は、図１に示すように一つのハードウェア上に構成されても良いし、その機能や処理数に応じて複数のハードウェア上に構成されても良い。また、既存のデバイス上に実現されても良い。
【００９９】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【０１００】
１  送信装置
２  中継装置
３  蓄積装置
４  データ処理装置
７  データ処理システム
８  フィールドシステム
１１、５１  センサ
１２  送信部
１３、２４  時計
２１  送信装置通信部
２２  分解部
２３、４１  蓄積装置通信部
３１  中継装置通信部
３２  管理部
３３  蓄積部
３４  処理装置通信部
４２  処理部
Ｎ１  ローカルネットワーク
Ｎ２  広域ネットワーク
【図１】
2017010350.tif 000003
【図２】
2017010350.tif 000004
【図３】
2017010350.tif 000005
【図４】
2017010350.tif 000006
【図５】
2017010350.tif 000007
【図６】
2017010350.tif 000008
【図７】
2017010350.tif 000009
【図８】
2017010350.tif 000010
【図９】
2017010350.tif 000011